(57)【要約】【技術課題】屋根を貫通して竪に設置して用いることができると共に、雨水、ドレン水の処置を完璧に行うことができる強制給排気式燃焼機器の竪型給排気システムを提供する。【解決手段】屋根１０３を貫通させて給排気管を竪方向に設置する際、屋根貫通部分には、給排気管を屋根１０３の傾斜に関係なく垂直にアジャストできる屋根貫通部材２６を取り付ける。排気トップ２、給気トップ３は、この屋根貫通部材２６上に取り付けると共に、給気口１６ａ上には、レインカバー１５を取り付け、排気口１２は排気トップ２の排気室４内に挿入し、この排気室４の排気スリット９、９ａから大気中に排出する。【選択図】図１
2008082613.tif 000002
【特許請求の範囲】
【請求項１】
建物の屋根を竪方向に貫通させて強制給排気方式の燃焼機器の給排気管を施工すると共に、屋根上に延長された前記給排気管上に給気トップと、更にこの上に排気トップを取り付ける竪型給排気システムにおいて、
前記給排気管を屋根に対して垂直に取り付けるための屋根貫通部材と、
前記屋根貫通部材の給排気管上に接続される給気トップと、
前記給気トップの排気管上に排気管の下端が接続され、この排気管の上端に形成された排気口を周側壁の下部に排気スリットを形成し、前記周側壁と屋根及び底板で囲まれた構造から成る排気室内に位置させて成る排気トップと、
前記給気トップの給気管の上端に開口した給気口を覆い、かつ内側に空気流入路を形成するようにして排気管に取り付けられたレインカバーと、
前記排気トップの排気スリットの下部であって、この排気トップの排気管に取り付けられた傘状のトップカバーと、
を設けたことを特徴とする竪型給排気システム。
【請求項２】
前記給気トップ内の排気管の上下端には、それぞれオスねじが形成され、これと接合する屋根貫通部材及び排気トップ側の排気管には、メスねじが形成されていること、を特徴とする請求項１に記載の竪型給排気システム。
【請求項３】
前記屋根貫通部材は、給気管に排気管を挿入した二重管構造の給排気管を中央に取りつけ、かつ前後方向の側板を円弧状に形成して成る四角形のアジャスト部材と、このアジャスト部材の側板が被冠できるように、前後方向の側板を前記アジャスト部材の側板の円弧の曲率に合致するように形成して成る四角形の受け枠部材と、前記受け枠部材を取り付けることができるように、上部開口を四角形に形成すると共に、底部に傾斜した屋根面に対する取付枠を形成し、この取付枠内を四角形に開放した構成のベース部材と、から成ることを特徴とする請求項１に記載の竪型給排気システム。
【請求項４】
前記給気トップは、給気管内に排気管を挿入した二重管構造から成り、この給気トップの給気管の下端には、オス、メス接合方式の受け口が形成され、排気管の上下両端には、それぞれオスねじが形成されていると共に、上端側のオスねじは、給気管の上端よりも上方に突出し、更にこのオスねじの下端部には、椀を伏せた形状のレインカバーが取り付けられており、前記給気管の上端に形成された給気口は、このレインカバー内に開口していること、を特徴とする請求項１に記載の竪型給排気システム。
【請求項５】
前記排気トップは、下端に前記給気トップの排気管の上端のオスねじが螺合するメスねじを形成し、排気管の上端に形成された排気口は、底板の周囲から上方に向って大径に変化する周側壁の上部に断面三角形状の屋根を形成し、周側壁の下部に排気スリットを形成した排気室内に挿入され、更に前記排気室の底部には、傘状の広がりを有し、前記給気トップのレインカバーよりも大径に形成されたトップカバーが取り付けられていること、を特徴とする請求項１に記載の竪型給排気システム。
【請求項６】
給気管内に排気管を挿入した二重管構造から成り、内部の排気管の外周面には、一方に傾斜したドレン水誘導段部を形成し、このドレン水誘導段部の最下位のところにドレンポートを形成し、このドレンポートから給気管を貫通して外に至るように傾斜させてドレン排出パイプを取り付けた構造のドレン水排水部材を竪方向に配管された給排気管の最下部に接続したこと、を特徴とする請求項１に記載の竪型給排気システム。
【発明の詳細な説明】
【技術分野】
【０００１】
本発明は、燃焼用の空気を強制的に屋外から吸引し、燃焼排気を強制的に屋外に排出する所謂強制給排気式（ＦＦ式）燃焼機器用の給排気システムに関する。
【背景技術】
【０００２】
強制給排気式燃焼機器の給排気管は、特許文献１に示すように、外側の管から燃焼用空気を吸引し、内側の管から燃焼排気を排出する二重管構造となっていて、その給排気トップ（給排気口）は、建物の外壁を水平方向に貫通して延長された給排気管の先端に横向きに突き出すようにして取り付けられていて、空気を横方向から管内にとり込み、排気を横方向に排出する構造となっている。
このように、横向きとした理由は、ファンを用いて給排気を強制的に行うため、ドラフト作用に気をつかう必要がないことと、圧損を小さくしてファンの負荷を小さくすることと、給排気管の延長が短い分、コストがかからないことと、給排気トップを上向き設置した場合、雨水やドレン水が給排気管内に侵入してトラブルの原因となるが、横向きにするとこの心配がないこと、等が理由となっている。
【０００３】
このような訳で、強制給排気式の燃焼機器には横向きの給排気トップが多く実用化されているが、隣家が接近しているような場合には、隣家側に向けて給排気トップを設置できない場合があり、この場合には、室内で給排気管を他の方向に配管して別な方向から給排気トップを突出させたり、それでも無理な場合は、強制給排気式の燃焼機器の設置を諦めざるを得ない場合もある。
【０００４】
しかし、強制給排気式の燃焼機器は、室内の空気を一切使用しないことと、室内に排気が出ないことから、安全性に優れており、今後の普及のためにも、前記のような隣家との関係で強制給排気式の燃焼機器が設置できないと云った問題を解消できる給排気システムの要望が高まっている。
【発明の開示】
【発明が解決しようとする課題】
【０００５】
本発明者は、このような観点で鋭意研究と実験を重ねた結果、雨水及びドレン水を効果的に処理してトラブルの発生を防ぐことにより、屋根より上のところに、上向きに給排気トップを取り付けることができる竪型給排気システムを完成するに至ったので、ここに提案するものである。
更に、給排気トップを上向きにした場合には、通常は屋根の上に突き出た設置形態となることから、この屋根を突き出る部分の処理について、雨仕舞を含めて工夫が必要になるため、この点についても有効な手段を完成するに至ったので、ここに併せて提案するものである。
更に、竪に設置された給排気管において、排気管の周面にドレン水が発生したときに、このドレン水を重力の力で給気管の外に排水する有効な手段を完成するに至ったので、ここに併せて提案するものである。
【課題を解決するための手段】
【０００６】
上記目的を達成するため、請求項１に記載の発明においては、建物の屋根を竪方向に貫通させて強制給排気方式の燃焼機器の給排気管を施工すると共に、屋根上に延長された前記給排気管上に給気トップと、更にこの上に排気トップを取り付ける竪型給排気システムにおいて、
前記給排気管を屋根に対して垂直に取り付けるための屋根貫通部材と、
前記屋根貫通部材の給排気管上に接続される給気トップと、
前記給気トップの排気管上に排気管の下端が接続され、この排気管の上端に形成された排気口を周側壁の下部に排気スリットを形成し、前記周側壁と屋根及び底板で囲まれた構造から成る排気室内に位置させて成る排気トップと、
前記給気トップの給気管の上端に開口した給気口を覆い、かつ内側に空気流入路を形成するようにして排気管に取り付けられたレインカバーと、
前記排気トップの排気スリットの下部であって、この排気トップの排気管に取り付けられた傘状のトップカバーと、
を設けたことを特徴とするものである。
【０００７】
更に、請求項２に記載の発明においては、請求項１に記載の竪型給排気システムにおいて、前記給気トップ内の排気管の上下端には、それぞれオスねじが形成され、これと接合する屋根貫通部材及び排気トップ側の排気管には、メスねじが形成されていること、を特徴とするものである。
【０００８】
更に、請求項３に記載の発明においては、請求項１に記載の竪型給排気システムにおいて、前記屋根貫通部材は、給気管に排気管を挿入した二重管構造の給排気管を中央に取りつけ、かつ前後方向の側板を円弧状に形成して成る四角形のアジャスト部材と、このアジャスト部材の側板が被冠できるように、前後方向の側板を前記アジャスト部材の側板の円弧の曲率に合致するように形成して成る四角形の受け枠部材と、前記受け枠部材を取り付けることができるように、上部開口を四角形に形成すると共に、底部に傾斜した屋根面に対する取付枠を形成し、この取付枠内を四角形に開放した構成のベース部材と、から成ることを特徴とするものである。
【０００９】
更に、請求項４に記載の発明においては、請求項１に記載の竪型給排気システムにおいて、前記給気トップは、給気管内に排気管を挿入した二重管構造から成り、この給気トップの給気管の下端には、オス、メス接合方式の受け口が形成され、排気管の上下両端には、それぞれオスねじが形成されていると共に、上端側のオスねじは、給気管の上端よりも上方に突出し、更にこのオスねじの下端部には、椀を伏せた形状のレインカバーが取り付けられており、前記給気管の上端に形成された給気口は、このレインカバー内に開口していること、を特徴とするものである。
【００１０】
更に、請求項５に記載の発明においては、請求項１に記載の竪型給排気システムにおいて、前記排気トップは、下端に前記給気トップの排気管の上端のオスねじが螺合するメスねじを形成し、排気管の上端に形成された排気口は、底板の周囲から上方に向って大径に変化する周側壁の上部に断面三角形状の屋根を形成し、周側壁の下部に排気スリットを形成した排気室内に挿入され、更に前記排気室の底部には、傘状の広がりを有し、前記給気トップのレインカバーよりも大径に形成されたトップカバーが取り付けられていること、を特徴とするものである。
【００１１】
更に、請求項６に記載の発明においては、請求項１に記載の竪型給排気システムにおいて、給気管内に排気管を挿入した二重管構造から成り、内部の排気管の外周面には、一方に傾斜したドレン水誘導段部を形成し、このドレン水誘導段部の最下位のところにドレンポートを形成し、このドレンポートから給気管を貫通して外に至るように傾斜させてドレン排出パイプを取り付けた構造のドレン水排水部材を竪方向に配管された給排気管の最下部に接続したこと、を特徴とするものである。
この発明により、万一給排気管内において、ドレン水が発生しても、竪方向の給排気管の一番下のところで管外に排水できるため、燃焼機器側に伝って行ってトラブルの原因となることがない。
【発明の効果】
【００１２】
１．給排気管を竪方向に延長し、給排気トップを屋根上に設置できるため、隣家との接    近状態に気を遣うことなく、給排気システムを構築できる。
２．雨仕舞及びドレン水対策を完璧にしたことにより、雨水やドレン水が給排気管内に    侵入してトラブルの原因となることがない。
３．屋根の貫通部において、屋根の傾斜に合わせて給排気管の垂直が保てるようにアジ    ャストできるため、現場ごとに規格の違う屋根貫通部材を用意したりする必要がない    。
４．給気トップ内の排気管の上下にオスねじを形成して排気トップ側の排気管のメスね    じに接合するようにしたため、排気トップ側から伝って来た雨水やドレン水が給気ト    ップ内に流入しない。
【実施例】
【００１３】
図１〜図１８に基づいて、上記した本発明の実施例を詳細に説明する。図１は、本発明に係る給排気システムの設置例を示す外観図であって、符号の１００は建物、１０１は建物１００内に設置された強制給排気式の燃焼機器、１０２は建物１００の外壁、１０３は建物の屋根である。符号の１は、屋根１０３から上方に突き出るようにして設置された給排気システム、１ａは前記燃焼機器１０１から一旦横方向に配管されて外壁１０２の外に出たものを竪方向に延長して屋根１０３を突き出たところまで延長された竪向きの給排気管部を示す。
【００１４】
上記給排気トップ１は、排気トップ２、給気トップ３、屋根貫通部材２６から成り、これらの詳細を以下に説明する。
図２〜図８は、上記給排気システム１のうち、排気トップ２及び給気トップ３を示すもので、先ず、排気トップ２は、図２〜図６に示すように、天板５を断面山形に形成し、この天板５の下方の周側壁６を下に向って小径になるように形成すると共に、外周に向って下り傾斜をつけた底板７を有し、前記周側壁６の下部には、円周に沿って排気スリット９、９ａを二段に形成すると共に、排気スリット９ａの下縁８を前記底板７の上面と面一に形成した構成の排気室４と、前記底板７の外周端７ａが上面に接していると共に、傘状に広がり、外径は前記排気室４の上部よりも大径に形成されたトップカバー１０と、上端の排気口１２が前記排気室４の排気スリット９よりも上部に位置するようにして底板７の中央を貫通して排気室４内に挿入されたトップ排気管１１とから成り、前記底板７及びトップカバー１０は、このトップ排気管１１にその中央の円孔が溶接されている。
【００１５】
なお、トップ排気管１１の排気口１２の位置は、実施例では底板７より１５ｍｍ高さとなっているが、この高さは、排気スリット９よりも十分高く、且つ天板５との間にも十分な空間を確保することが条件であり、排気をスムーズに行うことができる位置関係とすることが重要である。また、トップ排気管１１の下端には、メスねじ２０が形成されている。
１３は、天板５と天板５よりも少し突き出た周側壁６の上縁を連結している固定環であって、この固定環１３及び周側壁６の突き出た上縁６ａには、排水口１４が形成され、天板５上に降った雨水は、天板５の傾斜からこの排水口１４を経由してトップカバー１０上に流下し、このトップカバー１０の周囲から地上に流下する構造となっている。
【００１６】
上記実施例において、排気スリット９、９ａは二段に形成されているが、三段又はそれ以上に形成しても良いが、排気抵抗を考慮すると、出来るだけ開口面積を大きくとるために、二段が最適である。
給気トップ３は、図２、図３、図６〜図８に示すように、トップ給気管１６内にトップ排気管１７を挿入した二重管構造から成り、この給気トップ３の給気管１６の下端には、図７に示すようにＯリングを用いたオス、メス嵌合方式の受け口２５が形成され、排気管１７の下端にはオスねじ２４が形成されていると共に、上端にも同じようにオスねじ２３が形成されていて、オスねじ２３側は、給気管１６の上端よりも上方に突出し、更にこのオスねじ２３の下端部には、椀を伏せた形状のレインカバー１５が取り付けられており、前記給気管１６の上端の給気口１６ａは、レインカバー１５内に開口している。１６ｂはトップカバー１５内の空気流入路である。
図７において、２２ａは排気管１７を給気管１６の中心に保持するために給気管１６と排気管１７間に挿入されたスペンサーである。
【００１７】
次に、屋根貫通部材２６を図９〜図１５に基づいて説明する。
図９は、屋根貫通部材２６を組み立てた状態の斜視図、図１０は、アジャスト部材２７の一部切欠側面図、図１１はアジャスト部材２７の正面図、図１２は受け枠部材３４の平面図、図１３は受け枠部材３４の側面図、図１４はベース部材３８の平面図、図１５はベース部材３８側面図である。
屋根貫通部材２６は、図１０、図１1に示すように、外の給気管２８内に排気管２９を挿入した二重管構造の給排気管３０を中央に竪向きに取り付け、かつ側板３１の正面と背面方向に円弧状の曲面３２、３３に形成して成る側板３１の底面視が四角形のアジャスト部材２７と、図１２、図１３に示すように、アジャスト部材２７の側板３１を被冠できるように、側板枠３５の正面と背面方向の側板面に前記アジャスト部材２７の曲面３２、３３の曲率に合致させた曲面３６、３７を形成して成る四角形の受け枠部材３４と、図１４、図１５に示すように、前記受け枠部材３４を側板３９上に形成された上口枠４０に取り付けることができるように上口枠４０を四角形に形成すると共に、底部に傾斜した屋根１０３の傾斜面に当接する四角形の取付枠板４１を形成したベース部材３８と、から成る構造である。
図１０、１１において、２８ａ、２８ｂは給気管接合口、２９ａは排気管接合口、２９ｂは給気トップ３の排気管１７の下端に形成したオスねじ２４が螺合するメスねじである。
上記屋根貫通部材２６は、ベース部材３８の上口枠４０上に受け枠部材３４を取り付け、この受け枠部材３４上にアジャスト部材２７を被冠させて曲面３６、３７に合わせてアジャスト部材２７の角度を調整することにより、屋根１０３の角度にかかわらず、排気トップ２及び給気トップ３を垂直に立設することができる。
【００１８】
次に、図１６（Ａ）〜（Ｅ）に基づいて本発明に係る給排気システムの組み立て手順を説明する。（Ａ）は各部材の分解図、（Ｂ）はベース部材３８に受け枠部材３４を取り付けた状態、（Ｃ）は受け枠部材３４にアジャスト部材２７を取り付けた状態、（Ｄ）はアジャスト部材２７に給気トップ３を取り付けた状態、（Ｅ）は給気トップ３上に排気トップ２を取り付けた状態を示すものである。
以上が、給排気システム全体の実施例であるが、万一雨水やドレン水が管内に侵入した時のために、本実施例においては、図１に示すように、給排気管の竪向き給排気管１ａの最下位に、ドレン水排気部材４２を接続した。このドレン水排水部材４２は、図１７、１８に示すように、内外二重の給排気管４３、４４から成り、排気管４４の外周部に傾斜したドレン水誘導段部４５を形成し、このドレン水誘導段部４５の最下位にポート４６を形成し、このポート４６から給気管４３の外にドレン水排水パイプ４７を斜めに取り付けて、万一ドレン水が上方から排気管４４を伝って流下して来たときに、ここで管外に排出する構造である。
なお、このドレン水排水部材４２の給排気管４３、４４には、従来から用いられている二重管式の給排気管が上下部にそれぞれ接合されるため、この給排気管との接合用のＯリング付の受け口４８、挿入口４９がそれぞれ形成されている。
【図面の簡単な説明】
【００１９】
【図１】本発明に係る給排気システムの施工例の説明図
【図２】排気トップと給気トップの説明図
【図３】排気トップと給気トップの断面図
【図４】排気トップを示す一部断面図
【図５】図３におけるＡ−Ａ′線断面図
【図６】図３におけるＢ−Ｂ′線断面図
【図７】給気トップを示す一部断面図
【図８】図７におけるＣ−Ｃ′線断面図
【図９】屋根貫通部材の説明図
【図１０】アジャスト部材の側面図
【図１１】アジャスト部材の正面図
【図１２】受け部材の平面図
【図１３】受け部材の側面図
【図１４】ベース部材の平面図
【図１５】ベース部材の側面図
【図１６】（Ａ）〜（Ｅ）  給排気システムにおける各部材の組み立て手順の説明図
【図１７】ドレン水排水部材の説明図
【図１８】図１７におけるＤ−Ｄ′線断面図
【符号の説明】
【００２０】
１  竪型給排気システム
２  排気トップ
３  給気トップ
４  排気室
９、９ａ  排気スリット
１１  排気管
１２  排気口
１５  レインカバー
１６  給気管
１６ａ  給気口
１６ｂ  空気流入路
２３、２４  オスねじ
２６  屋根貫通部材
２７  アジャスト部材
３４  受け枠部材
３８  ベース部材
４２  ドレン水排水部材
【図１】
2008082613.tif 000003
【図２】
2008082613.tif 000004
【図３】
2008082613.tif 000005
【図４】
2008082613.tif 000006
【図５】
2008082613.tif 000007
【図６】
2008082613.tif 000008
【図７】
2008082613.tif 000009
【図８】
2008082613.tif 000010
【図９】
2008082613.tif 000011
【図１０】
2008082613.tif 000012
【図１１】
2008082613.tif 000013
【図１２】
2008082613.tif 000014
【図１３】
2008082613.tif 000015
【図１４】
2008082613.tif 000016
【図１５】
2008082613.tif 000017
【図１６】
2008082613.tif 000018
【図１７】
2008082613.tif 000019
【図１８】
2008082613.tif 000020